(57)【要約】【課題】  パレンタルレベルの一定範囲内の変更を容易に行うことができ、一定範囲外の変更を管理者のみが行うことができる動画再生装置を提供する。【解決手段】  ＤＶＤプレーヤ１において、例えば、ユーザの基準パレンタルレベルの値がレベル４に設定されていた場合、このユーザはＤＶＤビデオの視聴中に、レベル１からレベル４までの範囲内であれば、パスワードの入力無しで所望のレベルに変更できる。一方、ＤＶＤプレーヤ１では、パレンタルレベルを基準レベルから緩やかなレベル（レベル５からレベル８まで）に変更する場合には、パスワードの入力が必要となる。また、ＤＶＤプレーヤ１の操作部１４及びリモコン４には、現在設定されているパレンタルレベルを、最も厳しいレベルであるレベル１へパスワードの入力無しですぐに変更することができる緊急変更スイッチ２１を備えている。【選択図】  図１
2005051516.tif 000002
【特許請求の範囲】
【請求項１】
パレンタルレベルについて設定された再生許容レベルを記憶する記憶手段と、
前記記憶手段が記憶している前記再生許容レベルに基づいて、本体にセットされた光ディスクに記録されている動画の再生を制限する動画再生手段と、を備えた動画再生装置において、
前記記憶手段は、前記再生許容レベルに加えて基準レベルを記憶し、
前記再生許容レベルについて、前記基準レベルよりも制限が厳しいレベルへの変更が指示された場合には今回の指示に応じて前記記憶手段に記憶している再生許容レベルを変更し、前記基準レベルよりも制限が緩いレベルへの変更が指示された場合にはパスワードの入力を要求して、このパスワードが入力されたときに今回の指示に応じて前記記憶手段に記憶している再生許容レベルを変更し、
前記基準レベルよりも制限が緩いレベルへの変更が指示された場合であっても、現在の再生許容レベルよりも制限が厳しいレベルへの変更が指示された場合、今回の指示に応じて前記記憶手段に記憶している再生許容レベルを変更し、
前記記憶手段に記憶している基準レベルについてレベルの変更が指示された場合、パスワードの入力を要求し、該パスワードが入力されたときに今回の指示に応じて前記記憶手段に記憶している基準レベルを変更し、
本体に対して特定の入力があったとき、前記記憶手段に記憶している再生許容レベルを、制限が最も厳しいレベルに変更する制御手段を備えたことを特徴とする動画再生装置。
【請求項２】
パレンタルレベルについて設定された再生許容レベルを記憶する記憶手段と、
前記記憶手段が記憶している前記再生許容レベルに基づいて、本体にセットされた光ディスクに記録されている動画の再生を制限する動画再生手段と、を備えた動画再生装置において、
前記記憶手段は、前記再生許容レベルに加えて基準レベルを記憶し、
前記再生許容レベルについて、前記基準レベルよりも制限が厳しいレベルへの変更が指示された場合には今回の指示に応じて前記記憶手段に記憶している再生許容レベルを変更し、前記基準レベルよりも制限が緩いレベルへの変更が指示された場合にはパスワードの入力を要求して、このパスワードが入力されたときに今回の指示に応じて前記記憶手段に記憶している再生許容レベルを変更する制御手段を備えたことを特徴とする動画再生装置。
【請求項３】
前記制御手段は、前記基準レベルよりも制限が緩いレベルへの変更が指示された場合であっても、現在の再生許容レベルよりも制限が厳しいレベルへの変更が指示された場合、今回の指示に応じて前記記憶手段に記憶している再生許容レベルを変更する請求項２に記載の動画再生装置。
【請求項４】
前記制御手段は、前記記憶手段に記憶している基準レベルについてレベルの変更が指示された場合、パスワードの入力を要求し、該パスワードが入力されたときに今回の指示に応じて前記記憶手段に記憶している基準レベルを変更する請求項２または３に記載の動画再生装置。
【請求項５】
前記制御手段は、本体に対して特定の入力があったとき、前記記憶手段に記憶している再生許容レベルを、制限が最も厳しいレベルに変更する請求項２乃至４のいずれかに記載の動画再生装置。
【請求項６】
パレンタルレベルについて設定された再生許容レベルを記憶する記憶手段と、
前記記憶手段が記憶している前記再生許容レベルに基づいて、本体にセットされた光ディスクに記録されている動画の再生を制限する動画再生手段と、を備えた動画再生装置において、
前記再生許容レベルについて、現在の再生許容レベルよりも制限がより厳しいレベルへの変更が指示された場合には今回の指示に応じて前記記憶手段に記憶している再生許容レベルを変更し、現在の再生許容レベルよりも制限が緩いレベルへの変更が指示された場合にはパスワードの入力を要求し、このパスワードが入力されたときに今回の指示に応じて前記記憶手段に記憶している再生許容レベルを変更する制御手段を備えたことを特徴とする動画再生装置。
【発明の詳細な説明】
【技術分野】
【０００１】
本発明は、基準レベルよりも厳しいレベルであれば、パレンタルレベルを容易に変更できる動画再生装置に関する。
【背景技術】
【０００２】
ＤＶＤに記録されたビデオソフトには、過激な暴力シーンや恋愛シーンなどを含むものがあり、これらのシーンは子供の教育上好ましくない場合がある。そこで、従来、ＤＶＤに記録されたビデオソフトやＤＶＤプレーヤにおいては、視聴者の年齢に応じて再生する映像を制限する機能が設けられているものがあった。すなわち、ビデオソフトが記録されたＤＶＤ（光ディスク）には、ソフトの内容に応じてパレンタルレベル（視聴年齢制限レベル）がシーン（チャプタ）毎に予め設定されているものがあった。また、ＤＶＤプレーヤにおいては、ＤＶＤに記録されたビデオソフトの再生時に、その装置の管理者によって予め設定されたパレンタルレベルの再生許容レベルと、ビデオソフトに予め設定されたパレンタルレベルと、に基づいて、子供に見せたくないシーンをカットして次のシーンに移行したり別のシーンに差し替えたりして、ビデオソフトの再生をシーン毎に制御することができるパレンタルロック機能が設けられたものがあった。
【０００３】
パレンタルロック機能が設けられたＤＶＤプレーヤは、世界各国の体系に対応するためレベル１〜レベル８までの８段階までパレンタルレベルを切り替え可能である。例えば米国では、パレンタルレベルの設定はレイティング・システムに対応付けられている。すなわち、パレンタルレベル７は、１７才以下の視聴が認められないレベル（NC-17:No One 17 And Under Admitted. ）に設定されている。また、パレンタルレベル３は、幼い子供には不適切かもしれない内容を含んでいるため、子供に対して保護者から指導が必要なレベル（PG：Parental Guidance Suggested.）に設定されている。さらに、パレンタルレベル１は、視聴者一般に推薦されるレベル（G:General Audiences ）に設定されている。
【０００４】
したがって、パレンタルロック機能を備えたＤＶＤプレーヤでパレンタルレベルが設定されているＤＶＤ（ディスク）を再生する場合、成人向け映画などのソフトであっても、子供に見せたくないシーンを自動的にカットしながら再生することが可能であった。
【０００５】
また、従来のＤＶＤプレーヤは、パレンタルレベルの設定が安易に変更されないように、パレンタルレベルの変更時には通常パスワードの入力が必要であった。また、ビデオソフトの視聴時にＩＤとパスワードを入力することで個人別にパレンタルレベルを変更することができ、パレンタルレベルの設定や変更時には管理者のマスタパスワードの入力が必要なディスク再生装置が提案されている（例えば、特許文献１参照。）。
【０００６】
【特許文献１】特開２００２−１１２１８１号公報（第３−５頁、第１−５図）
【発明の開示】
【発明が解決しようとする課題】
【０００７】
従来のＤＶＤプレーヤでは、パレンタルレベルを変更する際には、パスワードを入力しなければならないため、パレンタルレベルを素早く変更できないという問題があった。例えば、パレンタルレベルがレベル７に設定された状態で保護者が子供と一緒にＤＶＤビデオを視聴する場合、子供には見せたくない暴力シーンなどがそのまま再生されてしまう。そのため、保護者は、パレンタルレベルの再生許容レベルをレベル１やレベル３などの制限が厳しいレベルに変更するために、パスワードを早急に入力しなければならない。
【０００８】
また、パレンタルレベルを厳しいレベルに変更後に元のレベルに戻す場合も、パレンタルレベルを素早く変更できないという問題があった。例えば、子供と一緒にＤＶＤビデオを視聴するためにパレンタルレベルを制限の厳しいレベルへ変更後、保護者が一人で別のＤＶＤビデオを視聴する場合、保護者はパスワードを入力しなければ、パレンタルレベルを元の制限の緩いレベルに変更できない。
【０００９】
このように、従来のディスク再生装置は、パレンタルレベルの変更の度にパスワードを入力しなければならず、素早くパレンタルレベルを変更できないという問題があった。
【００１０】
そこで、本発明は、上記の問題を解決するために、基準レベルよりも厳しいレベルであれば、パレンタルレベルをすぐに変更できる動画再生装置を提供することを目的とする。
【課題を解決するための手段】
【００１１】
この発明は、上記の課題を解決するための手段として、以下の構成を備えている。
【００１２】
（１）パレンタルレベルについて設定された再生許容レベルを記憶する記憶手段と、
前記記憶手段が記憶している前記再生許容レベルに基づいて、本体にセットされた光ディスクに記録されている動画の再生を制限する動画再生手段と、を備えた動画再生装置において、
前記記憶手段は、前記再生許容レベルに加えて基準レベルを記憶し、
前記再生許容レベルについて、前記基準レベルよりも制限が厳しいレベルへの変更が指示された場合には今回の指示に応じて前記記憶手段に記憶している再生許容レベルを変更し、前記基準レベルよりも制限が緩いレベルへの変更が指示された場合にはパスワードの入力を要求して、このパスワードが入力されたときに今回の指示に応じて前記記憶手段に記憶している再生許容レベルを変更する制御手段を備えたことを特徴とする。
【００１３】
この構成においては、光ディスクに記録された動画の再生を制限するレベルであるパレンタルレベルの再生許容レベルを、パスワードを入力しなくても基準レベルよりも制限が厳しいレベルへ変更することができる。したがって、例えば、パレンタルレベルの再生許容レベルを基準レベルに設定した状態で保護者が子供と動画を視聴中に、子供に視聴させたくないシーンが再生された場合、この再生許容レベルを制限の厳しいレベルへすぐに変更することができる。また、再生許容レベルを制限の厳しいレベルへ変更後に、保護者だけで動画を視聴することになった場合、再生許容レベルを基準レベルへすぐに戻すことができる。
【００１４】
（２）前記制御手段は、前記基準レベルよりも制限が緩いレベルへの変更が指示された場合であっても、現在の再生許容レベルよりも制限が厳しいレベルへの変更が指示された場合、今回の指示に応じて前記記憶手段に記憶している再生許容レベルを変更することを特徴とする。
【００１５】
この構成においては、パスワードを入力して再生許容レベルを基準レベルよりも制限の緩いレベルに変更した場合でも、再生許容レベルを現在のレベルよりも制限の厳しいレベルに変更する場合には、パスワードの入力が不要である。したがって、例えば、再生許容レベルを基準レベルよりも緩いレベルに変更したことを忘れたまま保護者が子供と動画を視聴した場合でも、子供に視聴させたくないシーンが再生されると、再生許容レベルの制限レベルをすぐに厳しくすることができる。
【００１６】
（３）前記制御手段は、前記記憶手段に記憶している基準レベルについてレベルの変更が指示された場合、パスワードの入力を要求し、該パスワードが入力されたときに今回の指示に応じて前記記憶手段に記憶している基準レベルを変更することを特徴とする。
【００１７】
この構成においては、基準レベルを変更する場合には必ずパスワードの入力が必要である。したがって、例えば、保護者がパスワードを管理している場合に、子供が勝手に基準レベルを変更するのを防止できる。
【００１８】
（４）前記制御手段は、本体に対して特定の入力があったとき、前記記憶手段に記憶している再生許容レベルを、制限が最も厳しいレベルに変更することを特徴とする。
【００１９】
この構成においては、パスワードの入力無しで、パレンタルレベルの再生許容レベルを制限の最も厳しいレベルへ変更することができる。動画再生装置では、再生許容レベルが制限の最も厳しいレベルに設定されると、子供に見せたくないシーンの再生を確実に防止できるので、例えば、保護者は子供と動画を視聴中に子供に見せたくないシーンが再生された場合、そのシーンの再生をすぐに停止させることができる。
【００２０】
（５）パレンタルレベルについて設定された再生許容レベルを記憶する記憶手段と、
前記記憶手段が記憶している前記再生許容レベルに基づいて、本体にセットされた光ディスクに記録されている動画の再生を制限する動画再生手段と、を備えた動画再生装置において、
前記再生許容レベルについて、現在の再生許容レベルよりも制限がより厳しいレベルへの変更が指示された場合には今回の指示に応じて前記記憶手段に記憶している再生許容レベルを変更し、現在の再生許容レベルよりも制限が緩いレベルへの変更が指示された場合にはパスワードの入力を要求し、このパスワードが入力されたときに今回の指示に応じて前記記憶手段に記憶している再生許容レベルを変更する制御手段を備えたことを特徴とする。
【００２１】
この構成においては、その時点における再生許容レベルよりも緩いレベルにパレンタルレベルを変更する場合にはパスワードの入力が必要であるが、その時点における再生許容レベルよりも厳しいレベルにパレンタルレベルを変更する場合にはパスワードの入力が不要である。これにより、パレンタルレベルの再生許容レベルを制限の厳しいレベルに変更する場合には、変更をすぐに行うことができる。
【発明の効果】
【００２２】
本発明によれば、パレンタルレベルを現在設定されているレベルよりも厳しいレベルに変更する場合であれば、パスワードの入力無しですぐにパレンタルレベルを変更することができる。また、レベル急変手段を操作することで、パスワードの入力無しでパレンタルレベルを制限の最も厳しいレベルへ変更することができる。
【発明を実施するための最良の形態】
【００２３】
図１は、本発明の実施形態に係る動画再生装置の概略を示した構成図である。動画再生装置であるＤＶＤプレーヤ１は、光ディスクであるＤＶＤ２を再生してビデオ信号及びオーディオ信号をモニタ３へ出力する。また、ＤＶＤプレーヤ１は、リモコン４で動作を制御することができる。ここで、ＤＶＤプレーヤ１は、特許文献１に記載のディスク再生装置のように複数のユーザについてパレンタルレベルをそれぞれ設定できる構成にすることも可能である。しかし、以下の説明では説明を簡略化するために、管理者（保護者）のパスワードのみをＤＶＤプレーヤ１に設定可能なものとして説明する。
【００２４】
ＤＶＤプレーヤ１は、ＤＶＤ再生部１１、システムコントロール部１２、表示部１３、操作部１４、通信部１５、及びメモリ１６を備えている。ＤＶＤ再生部１１は、光ディスクであるＤＶＤ２の記録面にレーザ光を照射して、ＤＶＤ２に記録されたビデオソフト
（動画）を再生して、ビデオ信号とオーディオ信号とをモニタ３へ出力する。
【００２５】
システムコントロール部１２は、ＤＶＤプレーヤ１の各部の動作を制御するとともに、メモリ１６からパレンタルレベルの再生許容レベルを読み出して、ＤＶＤ再生部１１で再生するチャプタの選択・切り替えなどの制御をこの再生許容レベルに基づいて行う。
【００２６】
表示部１３は、再生中のビデオソフトの情報やチャプタの情報などを表示する。また、視聴者に対して通知が必要な内容を表示する。
【００２７】
操作部１４は、視聴者が行ったＤＶＤプレーヤ１の各種の操作を受け付けて、操作に応じた信号をシステムコントロール部１２へ出力する。例えば、操作部１４は、ＤＶＤ２の再生・停止の指示や、パスワードの入力や、パレンタルレベルの変更の指示などの操作を受け付ける。
【００２８】
通信部１５は、リモコン４から送信された操作信号を受信して、システムコントロール部１２へこの操作信号を伝達するためのものである。
【００２９】
メモリ１６は、操作部１４から入力された各種の設定などを記憶する。また、メモリ１６は、視聴者によって設定されたパレンタルレベルの再生許容レベルや基準レベルを記憶する。
【００３０】
ここで、パレンタルレベルの再生許容レベルは、ＤＶＤに記録されたビデオソフトをＤＶＤプレーヤ１で再生する際に、パレンタルレベルを制限するための閾値である。すなわち、ＤＶＤプレーヤ１では、ＤＶＤ２に記録されたビデオソフトの各チャプタに設定されたパレンタルレベルが、再生許容レベルよりも制限の厳しいパレンタルレベルまたは同じパレンタルレベルであれば、そのチャプタを再生する。一方、ＤＶＤ２に記録されたビデオソフトの各チャプタに設定されたパレンタルレベルが、パレンタルレベルの再生許容レベルよりも制限の緩いレベルであれば、そのチャプタを再生しないか、または代替のチャプタを再生する。
【００３１】
また、パレンタルレベルの基準レベルは、パレンタルレベルを変更する際に、パスワードの入力の有無を判定するための閾値である。すなわち、パレンタルレベルを変更する際に、パレンタルレベルの基準レベルよりも制限が厳しい再生許容レベルに変更する場合、ＤＶＤプレーヤ１はパスワードの入力が不要である。一方、パレンタルレベルの再生許容レベルを変更する際に、パレンタルレベルの基準レベルよりも制限が緩いレベルに変更する場合、ＤＶＤプレーヤ１はパスワードの入力が必要である。ＤＶＤプレーヤ１では、予め設定したパスワードを入力することで、パレンタルレベルの基準レベルを変更することができる。
【００３２】
次に、ＤＶＤプレーヤ１の動作について説明する。ＤＶＤプレーヤ１は、図外のディスクトレイにＤＶＤ２がセットされて、ＤＶＤ２に記録されたビデオソフトの再生操作が操作部１４またはリモコン４で行われると、ＤＶＤ２に記録されたビデオソフトにパレンタルレベルが設定されているか否かを確認する。ＤＶＤプレーヤ１は、パレンタルレベルがＤＶＤ２に設定されていない場合には、制限を加えることなく動画をそのまま再生して、映像及び音声のデータをモニタ３に出力する。
【００３３】
一方、ＤＶＤプレーヤ１は、パレンタルレベルがＤＶＤ２に設定されている場合には、ＤＶＤ２に記録された動画の再生を制限するための設定値であるパレンタルレベルの再生許容レベルをメモリ１６から読み出す。そして、ＤＶＤ２に記録されたビデオソフトに設定されたパレンタルレベルと、メモリ１６から読み出したパレンタルレベルの再生許容レベルと、に基づいてチャプタの再生を制御する。
【００３４】
ＤＶＤプレーヤ１では、パレンタルレベルの基準レベルから制限が最も厳しいパレンタルレベル（レベル１）までの間であれば、パレンタルレベルの再生許容レベルを任意のレベルに変更できる。一方、ＤＶＤプレーヤ１では、パレンタルレベルの基準レベルよりも制限が緩いレベルから制限が最も緩いパレンタルレベル（レベル８）までの間であれば、パレンタルレベルの再生許容レベルの変更時にはパスワードの入力が必要である。また、ＤＶＤプレーヤ１では、パレンタルレベルの基準レベルよりも緩いレベルに再生許容レベルが設定されている場合でも、パレンタルレベルの再生許容レベルを制限の厳しいレベルに変更するのであれば、パスワードの入力が不要である。
【００３５】
例えば、ＤＶＤプレーヤ１は、パレンタルレベルの基準レベル及び現在の再生許容レベルがレベル４に設定されていた場合、レベル１からレベル４までのレベルに再生許容レベルを変更する操作が操作部１４において行われたことを検出すると、パスワードの入力を要求することなく再生許容レベルを変更する。一方、ＤＶＤプレーヤ１は、レベル５からレベル８までのレベルに再生許容レベルを変更する操作が操作部１４において行われたことを検出すると、パスワードの入力を要求し、パスワードの入力が無い場合には再生許容レベルの変更を許可しない。また、ＤＶＤプレーヤ１は、パレンタルレベルの基準レベルがレベル４に、現在の再生許容レベルがレベル７に設定されていた場合、レベル１からレベル６までのレベルに再生許容レベルを変更する操作が操作部１４において行われたことを検出すると、パスワードの入力を要求することなく再生許容レベルを変更する。
【００３６】
ＤＶＤプレーヤ１は、上記のようにパレンタルレベルの再生許容レベルを設定することができるので、以下のような状況において有効な効果を得ることができる。例えば、ＤＶＤプレーヤ１のパレンタルレベルの再生許容レベルが基準レベルであるレベル４に設定された状態で、保護者とその子供がＤＶＤに記録されたビデオソフトを視聴中に、子供に見せたくないシーンが再生された場合、パスワードの入力が不要なので、保護者は操作部１４またはリモコン４を操作して、パレンタルレベルの再生許容レベルをレベル４から制限のより厳しいレベル（例えばレベル２）へすぐに変更して、このシーンを別のシーンへ変更することができる。また、パレンタルレベルの再生許容レベルをレベル２へ変更後に、保護者が一人でこのＤＶＤに記録されたビデオソフトを視聴するためにパレンタルレベルの再生許容レベルを元に戻す場合には、パスワードの入力無しですぐに再生許容レベルを変更することができる。さらに、保護者が不在のときなどに、子供がパレンタルレベルの設定を基準レベルよりも緩やかなレベルに変更してＤＶＤを視聴しようとしても、パスワードの入力が必要なため、勝手に再生許容レベルが変更されるのを防止できる。加えて、保護者がパスワードを入力して、パレンタルレベルの再生許容レベルを制限の緩いレベルに変更していた場合にも、操作部１４を操作することでパレンタルレベルの再生許容レベルを厳しいレベルへすぐに変更することができる。
【００３７】
また、本発明のＤＶＤプレーヤ１の操作部１４及びリモコン４は、現在設定されているパレンタルレベルの再生許容レベルを、最も厳しいレベルであるレベル１へ変更する緊急変更スイッチ２１を備えている。視聴者は、ＤＶＤビデオの視聴中などに緊急変更スイッチ２１を操作することで、パレンタルレベルの再生許容レベルを、制限が最も厳しいレベルであるレベル１へすぐに変更することができる。ＤＶＤプレーヤ１を上記のように設定することで、以下のような状況で有効な効果を得ることができる。例えば、パレンタルレベルの基準レベル及び再生許容レベルがレベル４に設定されたＤＶＤプレーヤ１で、パレンタルレベルが設定されたＤＶＤビデオを保護者が子供と一緒に視聴中に、暴力シーンなど子供にとって好ましくないシーンが再生されることがある。このような場合、保護者は緊急変更スイッチ２１を操作することで、パレンタルレベルを最も厳しいレベルであるレベル１にすぐに変更することができるので、子供にとって好ましくないシーンを別のシーンへ直ちに変更することができる。ここで、緊急変更スイッチ２１を操作すると、パレンタルレベルが最も厳しいレベルに変更されるのは、子供の年齢にかかわらず子供に見せたくないシーンの再生を確実に中止するためには、パレンタルレベルをレベル１に変更するのが最も有効だからである。
【００３８】
なお、緊急変更スイッチ２１の設定は、上記のようにパレンタルレベルが最も厳しいレベルに切り替わるようになっているが、管理者（保護者）はパスワードを入力することで、緊急変更スイッチ２１の操作時にパレンタルレベルが切り替わるレベルの設定を変更することができる。例えば、緊急変更スイッチ２１を操作すると、パレンタルレベルの再生許容レベルがレベル２やレベル３などに切り替わるように設定変更することが可能である。これにより、保護者は、緊急変更スイッチ２１を操作することで、子供の年齢に応じたレベルにパレンタルレベルをすぐに変更することができる。
【００３９】
また、緊急変更スイッチ２１を操作してパレンタルレベルを変更した場合でも、視聴者は基準レベルまでの範囲であれば、パスワードの入力無しでパレンタルレベルを緩やかなレベルへ変更することができる。したがって、上記の例のように、緊急変更スイッチ２１を操作して再生許容レベルをレベル４からレベル１へ変更後に、保護者だけでＤＶＤの視聴を続けることになった場合には、保護者はパレンタルレベルを元の再生許容レベルであるレベル４へ容易に変更することができる。
【００４０】
次に、ＤＶＤプレーヤ１におけるパレンタルレベルの基準レベル及び再生許容レベルの設定動作についてフローチャートに基づいて説明する。図２は、本発明の実施形態に係るＤＶＤプレーヤにおけるパレンタルレベルの基準レベルの設定動作を説明するためのフローチャートである。なお、ＤＶＤプレーヤ１において、パスワードの設定は管理者によって予め行われているものとする。
【００４１】
まず、ＤＶＤプレーヤ１の操作部１４が操作されてパレンタルレベルの基準レベルを設定するためのモードが選択されると、システムコントロール部１２はパスワードの入力を促す表示を表示部１３に表示させる（ｓ１）。そして、システムコントロール部１２は、パスワードの入力があるまで待機する。システムコントロール部１２は、操作部１４からパスワードが入力されたことを検出すると（ｓ２）、メモリ１６に格納されたパスワードを読み出して、操作部１４から入力されたパスワードの確認を行う（ｓ３）。コントロール部１２は、入力されたパスワードが間違っている場合には、パスワードが間違っている旨の表示を表示部１４に表示させて（ｓ４）、処理を終了する。
【００４２】
一方、システムコントロール部１２は、ステップｓ３において入力されたパスワードが正しい場合、パレンタルレベルの基準レベルの設定を促す表示を表示部１３に表示させて（ｓ５）、操作部１４から入力があるまで待機する。システムコントロール部１２は、操作部１４から基準レベルが入力されたことを検出すると（ｓ６）、操作部１４から入力された基準レベルをメモリ１６に記憶させる。また、システムコントロール部１２は、パレンタルレベルの基準レベルを再生許容レベルに設定してメモリ１６に記憶させて（ｓ７）、処理を終了する。
【００４３】
続いて、ＤＶＤプレーヤ１におけるパレンタルレベルの再生許容レベルの設定動作を説明する。図３は、本発明の実施形態に係るＤＶＤプレーヤにおけるパレンタルレベルの再生許容レベルの設定動作を説明するためのフローチャートである。ＤＶＤプレーヤ１の操作部１４が操作されて（ｓ１１）、パレンタルレベルの再生許容レベルを設定するためのモードが選択されると（ｓ１２）、システムコントロール部１２は、パレンタルレベルの現在の再生許容レベルをメモリ１６から読み出して、表示部１３に表示させる（ｓ１３）。そして、システムコントロール部１２は、パレンタルレベルの再生許容レベルの入力があるまで待機する。システムコントロール部１２は、操作部１４から再生許容レベルが入力されたことを検出すると（ｓ１４）、入力された再生許容レベルを、パレンタルレベルの現在の再生許容レベル及びパレンタルレベルの基準レベルと比較する（ｓ１５）。システムコントロール部１２は、操作部１４から入力された再生許容レベルが、パレンタルレベルの基準レベルよりも制限が厳しいレベルである場合（ｓ１６）、操作部１４から入力されたレベルを現在の再生許容レベルとしてメモリ１６に記憶させる（ｓ２１）。そして、処理を終了する。
【００４４】
また、システムコントロール部１２は、操作部１４から入力された再生許容レベルが、パレンタルレベルの基準レベルよりも制限が緩いレベルであって（ｓ１６）、パレンタルレベルの現在の再生許容レベルよりも制限が厳しいレベルである場合（ｓ１７）、操作部１４から入力されたレベルを現在の再生許容レベルとしてメモリ１６に記憶させる（ｓ２１）。そして、処理を終了する。
【００４５】
一方、システムコントロール部１２は、操作部１４から入力された再生許容レベルが、パレンタルレベルの基準レベルよりも制限が緩いレベルであって（ｓ１６）、パレンタルレベルの現在の再生許容レベルよりも制限が緩いレベルである場合（ｓ１７）、パスワードの入力を促す表示を表示部１３に表示させる（ｓ１８）。そして、システムコントロール部１２は、操作部１４からパスワードの入力があるまで待機する。システムコントロール部１２は、操作部１４からパスワードが入力されたことを検出すると（ｓ１９）、メモリ１６に格納されたパスワードを読み出して、操作部１４から入力されたパスワードの確認を行う（ｓ２０）。コントロール部１２は、操作部１４から入力されたパスワードがメモリ１６に格納されたパスワードと異なっている場合には、パスワードが間違っているためパレンタルレベルの再生許容レベルを変更できない旨の表示を表示部１４に表示させて（ｓ２２）、処理を終了する。
【００４６】
一方、システムコントロール部１２は、操作部１４から入力されたパスワードが正しい場合には、操作部１４から先に入力された再生許容レベルを現在のパレンタルレベルの再生許容レベルとしてメモリ１６に記憶させて（ｓ２１）、処理を終了する。
【００４７】
また、システムコントロール部１２はステップｓ１２において、操作部１４の緊急変更スイッチ２１が操作されたことを検出した場合には、パレンタルレベルの再生許容レベルをレベル１に設定して（ｓ２３）、処理を終了する。
【００４８】
なお、ＤＶＤプレーヤ１では、ＤＶＤ２の再生中・ＤＶＤ２の非再生中にかかわらず、図３に基づいて説明したパレンタルレベルの再生許容レベルの設定処理を実行可能である。
【００４９】
また、ＤＶＤプレーヤ１では、基準レベルを設けずに、入力されたパレンタルレベルの再生許容レベルが、現在設定されているパレンタルレベルの再生許容レベルよりも制限がより厳しい場合にはパスワードの入力無しで変更できるように設定すると良い。また、入力されたパレンタルレベルの再生許容レベルが、現在設定されているパレンタルレベルの再生許容レベルよりも制限がより緩い場合にはパスワードの入力無しでは変更できないように設定すると良い。これにより、パレンタルレベルの再生許容レベルを制限の厳しいレベルに変更する場合には変更をすぐに行うことができる。また、保護者の不在中などに、子供が勝手に再生許容レベルを制限の緩いレベルに変更するのを防止できる。
【００５０】
以上のように、本発明によれば、パレンタルレベルの再生許容レベルを現在設定されているレベルよりも厳しいレベルに変更する場合であれば、パスワードの入力無しですぐにパレンタルレベルを変更することができる。また、緊急変更スイッチなどを操作して本体に対して特定の入力を行うことで、パスワードの入力無しでパレンタルレベルを制限の最も厳しいレベルへすぐに変更して、制限の厳しいレベルの動画が再生されるように変更することができる。
【図面の簡単な説明】
【００５１】
【図１】本発明の実施形態に係る動画再生装置の概略を示した構成図である。
【図２】本発明の実施形態に係るＤＶＤプレーヤにおけるパレンタルレベルの基準レベルの設定動作を説明するためのフローチャートである。
【図３】本発明の実施形態に係るＤＶＤプレーヤにおけるパレンタルレベルの再生許容レベルの設定動作を説明するためのフローチャートである。
【符号の説明】
【００５２】
１−ＤＶＤプレーヤ
２−ＤＶＤ
３−モニタ
４−リモコン
【図１】
2005051516.tif 000003
【図２】
2005051516.tif 000004
【図３】
2005051516.tif 000005